(57)【要約】【課題】回転槽内への給水時に用いられる給水弁を１つ有する給水装置を用いて、回転槽内に収容された洗濯物を早期に湿らすことができる洗濯機を提供する。【解決手段】給水源に給水装置２２の給水接続口２９を接続し、給水装置２２の第１の給水弁２７の吐出口２７ａに、内部で２経路に分岐され第１の吐出口３４及び第２の吐出口３５から水を吐出する注水ケース２３を接続する。回転槽４内への給水時に、第１の給水弁２７を開口し、注水ケース２３の第１の吐出口３４から吐出される水を第１の給水経路２４を介して回転槽４内に供給し、第２の吐出口３５から吐出される水を第２の給水経路２５及び案内板２６を介して回転槽４内のうち第１の吐出口３４から吐出される水とは異なる場所に供給する。【選択図】図１
2011104150.tif 000002
【特許請求の範囲】
【請求項１】
水槽と、
脱水孔を有して前記水槽内に回転可能に設けられ内部に洗濯物が収容される有底円筒状をなす回転槽と、
給水源に接続され、前記回転槽内への給水時に開口する第１の給水弁とすすぎ時における前記回転槽内への洗濯用助剤供給時に開口する第２の給水弁とを有する給水装置と、
前記給水装置における前記第１の給水弁の吐出口及び前記第２の給水弁の吐出口が接続され、前記第１の給水弁から供給される水が流れる第１の水路、前記第１の水路を通って供給される水を分岐させて前記回転槽内に供給する第１の吐出口及び第２の吐出口、洗濯用助剤が収容される収容室、並びに前記第２の給水弁から供給される水を前記収容室に供給して前記第１の吐出口から吐出させる第２の水路を有する注水ケースと、
前記注水ケースの前記第２の吐出口から吐出される水を前記回転槽内のうち前記第１の吐出口から吐出される水とは異なる場所に供給する案内部材とを備えていることを特徴とする洗濯機。
【請求項２】
前記水槽の上部外周を覆う水槽カバーが設けられ、
前記案内部材は、前記水槽カバーの下面に設けられ、前記回転槽の中心軸側に向かうに従って下降する傾斜部と、前記傾斜部の下端部から前記回転槽の中心軸側に延びる拡散部とを有してなり、
前記傾斜部は、前記注水ケースの前記第２の吐出口から吐出される水を受け、
前記拡散部は、前記傾斜部で受けた水を前記回転槽内に広げることを特徴とする請求項１記載の洗濯機。
【請求項３】
前記傾斜部は、前記回転槽の中心軸側に膨らみ、下端部に向かうに従って横幅が広くなった円錐面状をなしていることを特徴とする請求項２記載の洗濯機。
【発明の詳細な説明】
【技術分野】
【０００１】
本発明は、回転槽内に水を供給する給水弁を備えた洗濯機に関する。
【背景技術】
【０００２】
従来より、水槽及び回転槽の軸方向が上下方向に指向した縦型の洗濯機の回転槽には、水道等の給水源からの水が給水弁及び注水ケースを通って供給される。しかし、この種の洗濯機は、注水ケースから供給される水が回転槽内の所定の１箇所、例えば注水ケースの下方の１箇所のみに供給される構成であるため、給水時に回転槽内に収容された洗濯物を早期に湿らすには時間がかかっていた。
【０００３】
給水時に回転槽内に収容された洗濯物を早期に湿らせる構成の洗濯機としては、例えば特許文献１に示すものがある。特許文献１の洗濯機は、開閉の制御が可能な２つの給水弁（吐出口）を有する給水装置を有しており、一方の吐出口が注水ケースに接続され、他方の吐出口がチューブを介して可動式のノズルに接続されている。この洗濯機は、回転槽内への給水時に給水源から供給される水を、注水ケースを通る経路と注水ケースを通らない経路とに選択的に切換える制御を行っている。この構成によれば、注水ケースを通らない経路を流れる水をノズルから吐出させる際に、ノズルを可動させて給水方向を変えることによって、洗濯物に水を早期に行き渡らせることが可能であると特許文献１に示されている。
【先行技術文献】
【特許文献】
【０００４】
【特許文献１】特開２００１−３４０６９０号公報
【発明の概要】
【発明が解決しようとする課題】
【０００５】
しかしながら、特許文献１の洗濯機では、回転槽内への給水時において、給水経路を使い分ける構成であるため、給水時に用いられる給水弁を２つ有する給水装置が必要である。
本発明は、上記の事情に鑑みてなされたものであり、その目的は、回転槽内への給水時に用いられる給水弁を１つ有する給水装置を用いて、回転槽内に収容された洗濯物を早期に湿らすことができる洗濯機を提供することである。
【課題を解決するための手段】
【０００６】
上記目的を達成するために、本発明の洗濯機は、水槽と、脱水孔を有して前記水槽内に回転可能に設けられ内部に洗濯物が収容される有底円筒状をなす回転槽と、給水源に接続され、前記回転槽内への給水時に開口する第１の給水弁とすすぎ時における前記回転槽内への洗濯用助剤供給時に開口する第２の給水弁とを有する給水装置と、前記給水装置における前記第１の給水弁の吐出口及び前記第２の給水弁の吐出口が接続され、前記第１の給水弁から供給される水が流れる第１の水路、前記第１の水路を通って供給される水を分岐させて前記回転槽内に供給する第１の吐出口及び第２の吐出口、洗濯用助剤が収容される収容室、並びに前記第２の給水弁から供給される水を前記収容室に供給して前記第１の吐出口から吐出させる第２の水路を有する注水ケースと、前記注水ケースの前記第２の吐出口から吐出される水を前記回転槽内のうち前記第１の吐出口から吐出される水とは異なる場所に供給する案内部材とを備えていることを特徴とする。
【発明の効果】
【０００７】
本発明によれば、回転槽内への給水時において、給水源からの水は、給水装置の第１の給水弁を通って注水ケースの第１の水路内に供給される。第１の水路内に供給された水は、分岐されて注水ケースの第１の吐出口及び第２の吐出口からそれぞれ回転槽内に供給される。ここで、第２の吐出口から吐出された水は、案内部材によって第１の吐出口から吐出される水とは異なる場所に供給される。これにより、回転槽内に収容された洗濯物は、異なる複数の場所から湿らせられる。従って、回転槽内への給水時に用いられる給水弁を１つ有する給水装置を用いて、回転槽内に収容された洗濯物を早期に湿らせることができる。
第２の給水弁は、すすぎの時の洗濯用助剤を回転槽内に供給する時のみに用いられる。
【図面の簡単な説明】
【０００８】
【図１】本発明の第１の実施形態を示す洗濯機全体の縦断側面図
【図２】水槽カバーの後部を示す斜視図
【図３】給水装置と、カバーを外して示す注水ケースの平面図
【図４】図３中のＡ−Ａ線に沿う断面図
【図５】図３中のＢ−Ｂ線に沿う断面図
【図６】注水ケース内の洗いすすぎ兼用水路、第１の給水経路及び第２の給水経路を概略的に示す断面図
【図７】案内板の斜視図
【図８】洗濯機負荷の動作を示すタイムチャート
【図９】回転槽内に供給される水の方向を概略的に示す平面図
【図１０】本発明の第２の実施形態の要部を概略的に示す図で、（ａ）は図９相当図、（ｂ）は回転槽内に供給される水の方向を示す縦断側面図
【発明を実施するための形態】
【０００９】
以下、本発明の第１の実施形態について図１〜図９を参照して説明する。尚、図面には、必要に応じて、前後、左右及び上下の各方向を矢印で示している。
図１に、縦型の洗濯機１の全体構造を示す。尚、図１において左方を洗濯機１の前方とする。図１に示すように、洗濯機１の外箱２内には、水槽３が設けられている。水槽３は、有底円筒状をなし軸方向が上下方向に指向しており、図示しない弾性支持機構により弾性支持されている。水槽３内には、回転槽４が回転可能に設けられている。回転槽４は、内部に洗濯物が収容される有底円筒状をなし、軸方向が上下方向に指向している。回転槽４の周壁部には、多数の脱水孔５が形成されている。
【００１０】
回転槽４の上端部には、バランスリング６が設けられている。バランスリング６は、回転槽４の回転時のバランスを維持するためのものである。回転槽４の内側の底部には、パルセータ７が回転可能に設けられ、水槽３の外側の底面には、モータ８及びクラッチ機構部９が設けられている。モータ８は、回転槽４及びパルセータ７を回転させる駆動源であり、回転槽４及びパルセータ７にクラッチ機構部９を介して接続されている。クラッチ機構部９は、例えば、特開２０００−２７９６９２号公報に記載されている周知のものであり、モータ８の駆動力を回転槽４及びパルセータ７の一方又は両方に伝達するように切り換える作用をする。
【００１１】
水槽３の底部には、導出管１０が接続されている。導出管１０は、水槽３に残留した洗濯水を排出するためのものである。この導出管１０には、排水弁１１を介して排水管１２が接続されている。排水管１２の端部は、洗濯機１の外部に向けて開口しており、水槽３内の洗濯水が排出可能となっている。
【００１２】
外箱２の上端部には、トップカバー１３が設けられている。トップカバー１３の中央部には、折畳まれることにより開放可能な外蓋１６が設けられている。
水槽３の上端部には、水槽３の上部周縁を覆う水槽カバー１７が設けられている。水槽カバー１７の後部には、図６に示すように第１の開口部１７ａ及び第２の開口部１７ｂが形成されている。第１の開口部１７ａは、後述する注水ケース２３の下方に位置している。又、この水槽カバー１７の内周部で回転槽４に相当する領域には、上方へ回動されて開かれる内蓋１８が設けられている。
【００１３】
水槽カバー１７の後部には、図２にも示すように、給水手段たる給水機構部２１が設けられている。給水機構部２１は、水道等の給水源から供給される水を回転槽４内に供給するものであり、給水装置２２、注水ケース２３、第１の給水経路２４、第２の給水経路２５、及び案内部材たる案内板２６を有している。
【００１４】
給水装置２２は、図３に示すように、例えば二連式の給水弁であり、この場合、第１の給水弁２７と、第２の給水弁２８と、第１の給水弁２７及び第２の給水弁２８に水を供給するための給水接続口２９とを有している。詳しくは後述するが、第１の給水弁２７は、洗い行程時及びすすぎ行程時における回転槽４への給水時に開口し、第２の給水弁２８は、すすぎ時における回転槽４内への柔軟剤等の洗濯用助剤供給時に開口する。給水接続口２９には、水道等の給水源、例えば水道の蛇口に接続されるホース（図示せず）が取り付けられる。
【００１５】
注水ケース２３は、図２〜図６に示すように上面から見て略Ｌ字の箱状をなし、上部はカバー２０で覆われている。カバー２０は図２及び図６に示す。注水ケース２３の内部は、横断壁３０（図４〜図６参照）によって上空間と下空間とに分けられている。注水ケース２３の前面壁２３ａ（図３及び図５参照）のうち下空間の左前部には、後述する引き出し部３６を出し入れするための開口部３１（図５参照）が形成されている。又、注水ケース２３の右部の後面壁２３ｂ（図３参照）の右部には、第１の入水口３２が形成され、同じく右部の後面壁２３ｂの第１の入水口３２の左側に第２の入水口３３が形成されている。第１の入水口３２には、第１の給水弁２７の出口たる吐出口２７ａが接続され、第２の入水口３３には、第２の給水弁２８の出口たる吐出口２８ａが接続されている。
【００１６】
注水ケース２３の底部は、図５に示すように、前方に向かうに従って低くなり、底部の前部、即ち注水ケース２３の最も低い底部には、図５及び図６に示すように、下方に突出する第１の吐出口３４が形成されている。又、注水ケース２３の上部をなすカバー２０（以下、注水ケース２３の上部として説明する）の中央付近には、図２〜図６に示すように、上方に突出する第２の吐出口３５が形成されている。
【００１７】
注水ケース２３の下空間は、前述の開口部３１によって大気に開放され、図４〜図６に示すように、左部に柔軟剤等の洗濯用助剤（図示せず）を収容するための収容室として機能する引き出し部３６が開口部３１を塞ぐようにして収容されている。引き出し部３６は、上面が開口した箱状をなし、前部に取っ手部３６ａを有している。引き出し部３６は、図５に示すように、底部の前部に開口部３７が形成され、開口部３７の上方にサイフォン部３８が形成されている（尚、図６ではサイフォン部３８の図示を省略する）。開口部３７及びサイフォン部３８は、引き出し部３６が注水ケース２３内に収容されたときに、第１の吐出口３４の上方に位置する。サイフォン部３８は、引き出し部３６の開口部３７の周縁から上方に突出する筒状部３８ａと、筒状部３８ａの上部の周壁部に形成された孔部３８ｂと、筒状部３８ａを上方から覆うキャップ部３８ｃとから構成されている。キャップ部３８ｃの下端部は、引き出し部３６の底部付近まで延びている。
【００１８】
注水ケース２３の横断壁３０の後部には、図３、図５、図６に示すように、複数の第１の孔部４１が形成されている。第１の孔部４１は、引き出し部３６が注水ケース２３内に収容されたときに引き出し部３６の上方に位置しない略Ｌ字状に配置されている（図３参照）。第１の孔部４１のうち一部の第１の孔部４１、例えば図３に示す第１の孔部４１のうち右側に配置されている第１の孔部４１は、注水ケース２３を上方から見て第２の吐出口３５の右方、即ち注水ケース２３の前後方向において中央付近に位置している。
【００１９】
又、図３に示すように、注水ケース２３の横断壁３０の前部のうち、注水ケース２３を上方から見て第２の吐出口３５の前方及び左前方付近に、複数の第２の孔部４２が形成されている。第２の孔部４２は、引き出し部３６が注水ケース２３内に収容されたときに引き出し部３６の上方に位置する。
即ち、注水ケース２３には、上方から見たときに前から順に、第１の吐出口３４及び第２の孔部４２、第２の吐出口３５、第１の孔部４１が配置され、且つ、第２の吐出口３５の右方にも第１の孔部４１が配置されている。
【００２０】
注水ケース２３の上空間内には、第１の水路として機能する洗いすすぎ兼用水路４３及び第２の水路として機能する助剤供給用水路４４が形成されている。洗いすすぎ兼用水路４３は第１の入水口３２から供給される水が流れる水路であり、第１の入水口３２から供給される水が第２の吐出口３５及び第１の孔部４１に供給される。助剤供給用水路４４は、第２の入水口３３から供給される水が流れる水路であり、第２の入水口３３から供給される水が第２の孔部４２を通って引き出し部３６に供給される。第１の孔部４１に供給された水及び第２の孔部４２に供給された水は、詳しくは後述するが、第１の吐出口３４まで流れ、第１の吐出口３４から下方に吐出される。
【００２１】
洗いすすぎ兼用水路４３と助剤供給用水路４４とは、仕切り壁４５で分けられている。洗いすすぎ兼用水路４３は、更に下流側で分岐壁４６によって２経路に分けられ、この２経路のそれぞれに第１の吐出口３４及び第１の孔部４１が位置している。
【００２２】
仕切り壁４５は、後面壁２３ｂの第１の入水口３２と第２の入水口３３の間から注水ケース２３の前部の中央付近まで延び、そこから後方に延び、第１の孔部４１の後方を通って注水ケース２３の左部から前方に向かって延び、第２の吐出口３５と第２の孔部４２の間を通って前面壁２３ａまで延びている。分岐壁４６は、洗いすすぎ兼用水路４３内に設けられ、上面から見て略Ｌ字状をなし、第２の吐出口３５と第１の孔部４１とを前後方向に分けると共に、第２の吐出口３５と第１の孔部４１とを左右方向においても分けるように設けられている。即ち、注水ケース２３の上空間のうち第２の吐出口３５が位置する空間は、周囲が１箇所の隙間（後述する入口部２３ｃ）を除いて仕切り壁４５及び分岐壁４６で囲われている。仕切り壁４５、分岐壁４６及び注水ケース２３を構成する側面壁は、複数のリブ４７で適宜補強されている。
【００２３】
洗いすすぎ兼用水路４３は、仕切り壁４５、分岐壁４６及び注水ケース２３を構成する側面壁によって囲われて形成されている。具体的には、洗いすすぎ兼用水路４３は、第１の入水口３２から注水ケース２３内に供給された水が注水ケース２３の前部の右側から前部の中央部に向かって延びる第１水路部５１と、第１水路部５１から後方に向かって延びる第２水路部５２と、第２水路部５２から左側に延びる第３水路部５３と、第２水路部５２から分岐壁４６によって分岐され第２水路部５２の左側に位置する第４水路部５４とから構成されている。この場合、第２水路部５２と第４水路部５４とは、当該第４水路部５４の右前部において仕切り壁４５及び分岐壁４６との隙間、即ち入口部２３ｃによって連通している。又、第２水路部５２の後半部の底部（各水路部の底部は横断壁３０である。以下、底部として説明する）及び第３水路部５３の底部に第１の孔部４１が位置し、第４水路部５４の天井部に第２の吐出口３５が位置している。更に、第１水路部５１から第３水路部５３の底部は、第１水路部５１から第３水路部５３に向かうに従って低くなる傾斜をなしている（図５に、第２水路部５２の底部の傾斜を示す）。第４水路部５４の底部は、後部が高く前部に向かうに従って低くなる傾斜をなしている。第４水路部５４の前端部の底部の高さは、この第４水路部５４の前端部と隣り合う第２水路部５２の底部の高さと同じである。
【００２４】
助剤供給用水路４４は、図３に示すように、仕切り壁４５及び注水ケース２３の側面壁によって囲われて形成されている。具体的には、助剤供給用水路４４は、第２の入水口３３から注水ケース２３内に供給された水が注水ケース２３の前部の右側から前部の中央付近に向かって延びる第５水路部５５と、第５水路部５５の左端部から後方に向かって延びる第６水路部５６と、第６水路部５６の後端部から左側に延びる第７水路部５７と、第７水路部５７の左端部から前方に延びる第８水路部５８と、第８水路部５８の前端部から前方中央付近に延びる第９水路部５９とから構成されている。この場合、第９水路部５９の底部に第２の孔部４２が位置している。助剤供給用水路４４の底部は、第５水路部５５から第９水路部５９に向かうに従って低くなる傾斜をなしている。
【００２５】
注水ケース２３の第１の吐出口３４には、図６に示すように、第１のダクト部材６１が接続されている。第１のダクト部材６１は、蛇腹状をなし、上下方向に延び、下端部が水槽カバー１７の第１の開口部１７ａに接続されている。第１の開口部１７ａは前述したように注水ケース２３の下方に位置しているので、第１のダクト部材６１も注水ケース２３の下方に位置している。この第１のダクト部材６１と水槽カバー１７の第１の開口部１７ａとから第１の給水経路２４が形成される。これにより、第１の吐出口３４から吐出された水は、注水ケース２３から下向きで第１の給水経路２４に供給され、第１の給水経路２４から下向き（図６等に示す矢印Ｘ方向）で回転槽４内に供給される。即ち、注水ケース２３の第１の吐出口３４から吐出される水は、注水ケース２３の真下に供給される。
【００２６】
注水ケース２３の第２の吐出口３５には、パイプ状の第１の継手部材６２の一端部が接続されている。第１の継手部材６２は、逆Ｕ字状をなしている。第１の継手部材６２の他端部には、第２のダクト部材６３が接続されている。第２のダクト部材６３は、蛇腹状をなし、上下方向に延びている。第２のダクト部材６３の下端部には、パイプ状の第２の継手部材６４が接続されている。第２の継手部材６４の下端部は、水槽カバー１７の第２の開口部１７ｂ内を通って水槽カバー１７の下方に位置している。この第１の継手部材６２、第２のダクト部材６３及び第２の継手部材６４から第２の給水経路２５が形成される。
【００２７】
第２の給水経路２５の出口、この場合、第２の継手部材６４の下方には、案内板２６が設けられている。案内板２６は、柔軟性を有する材料、例えばゴムからなり、注水ケース２３の第２の吐出口３５から吐出される水を回転槽４内のうち第１の吐出口３４から吐出される水とは異なる場所に供給するものである。言い換えると、案内板２６は、第２の給水経路２５から吐出され回転槽４内に供給される水の方向を、第１の給水経路２４から回転槽４内に供給される水の方向（矢印Ｘ方向）とは異なる方向、例えば回転槽４の中心軸に向かう方向及び回転槽４の内側面のうち矢印Ｘ方向から離れた位置にある内側面に向かう方向（図６等に示す矢印Ｙ方向）に変え、第２の給水経路２５から吐出される水を、回転槽４の中心付近及び回転槽４の内側面のうち矢印Ｘ方向から離れた位置にある内側面に供給するものである。案内板２６は、図７に示すように、取り付け部６６と、取り付け部６６に連なる傾斜部６７と、傾斜部６７に連なる拡散部６８とから構成されている。
【００２８】
取り付け部６６は、水槽カバー１７に対して平行に延び、水槽カバー１７の下面に取り付けられている。
傾斜部６７は、取り付け部６６の端部のうち回転槽４の中心軸側に位置する端部から回転槽４の中心軸側に向かうに従って下降する傾斜、具体的には、回転槽４の中心軸側に膨らみ、下端部に向かうに従って横幅（周方向の幅）が広くなった円錐面状をなしている。この傾斜部６７は、第２の給水経路２５（第２の継手部材６４）の出口の延長線上に位置し、円錐面状の部分で第２の給水経路２５から吐出される水を受けている。これにより、傾斜部６７で受けられた水は、下方に流れる方向（図７に示す矢印Ｙ１方向）に流れると共に、傾斜部６７の円錐面状の周方向に広げられて下方に流れる方向（図７に示す矢印Ｙ２方向）に流れる。
【００２９】
拡散部６８は、傾斜部６７の下端部から回転槽４の中心軸側に延びると共に、横幅（周方向の幅）が傾斜部６７よりも広くなった扇状をなしている。この拡散部６８は、図６に示すように、傾斜部６７の下端部から回転槽４の中心軸側に向かうに従って下降する傾斜をなしている。拡散部６８の傾斜角度α（回転槽４の底部と拡散部６８とのなす角α）は、傾斜部６７の傾斜角度β（回転槽４の底部と傾斜部６７とのなす角β）より緩やかに（小さく）形成されている。これにより、傾斜部６７によって横方向に広げられた状態で流れてきた水（矢印Ｙ１方向及び矢印Ｙ２方向から流れてきた水）は、拡散部６８の傾斜角度α、即ち矢印Ｙ方向で回転槽４内に吐出される。このとき、第２の給水経路２５から吐出される水の流れの横幅は、案内板２６の傾斜部６７で広げられているので、傾斜部６７を流れ拡散部６８から吐出される水は、回転槽４の広い範囲に供給される。
【００３０】
トップカバー１３の前面部の外側には、図１に示すように操作パネル７１が設けられ、トップカバー１３の前面部の内部には、制御手段たる制御装置７２が設けられている。制御装置７２は、例えばマイクロコンピュータからなり、水槽３内の水位を検知するように設けた水位センサ（図示せず）からの水位検知信号、操作パネル７１に設けられた操作部（図示せず）からの操作信号、モータ８の回転数を検知するように設けられた回転センサ（図示せず）からの回転数検知信号等が入力されるようになっている。具体的には、制御装置７２は、モータ８を駆動してパルセータ７を回転させ、そのときの回転センサの回転数の大きさと、制御装置７２が予め有しているデータに基づき、回転槽４内に収容された洗濯物の重量を判断する。回転槽４内に収容された洗濯物の量（重量）が多い場合には、回転センサが検出する回転数が低く、洗濯物の量（重量）が少ない場合には、回転センサが検出する回転数が高くなる。
【００３１】
制御装置７２は、上述の重量検知を行うと共に、洗濯機１の作動全般（例えば、洗い行程、すすぎ行程、脱水行程）の各種運転コースを実行させる制御を行う。この場合、制御装置７２は、駆動回路（図示せず）を介して各種洗濯機負荷たるモータ８、クラッチ機構部９、排水弁１１、給水装置２２の第１の給水弁２７及び第２の給水弁２８等を制御すると共に、操作パネル７１の表示部（図示せず）に各種の表示を行う。
【００３２】
次に上記構成の作用について図８及び図９も参照して説明する。図８は、洗い行程、すすぎ行程及び脱水行程中の洗濯機負荷のタイムチャートを示している。尚、洗い行程前に回転槽４内に洗濯物を収容すると共に、回転槽４内に洗い用の洗剤を投入し、引き出し部３６に洗濯用助剤としての柔軟剤を収容しておく。又、給水源は水道とする。図９は、回転槽４を上方から見た様子を模式的に示したもので、第１の給水経路２４の出口の位置をＰ、第２の給水経路２５の出口の位置をＱで示している。尚、図９において、位置Ｐと矢印Ｘ方向とは上方から見て一致するので、矢印Ｘ方向の図示を省略する。
【００３３】
洗い行程では、重量検知、給水及び洗いが行われる。重量検知では、制御装置７２は、モータ８によりパルセータ７のみを回転させ、そのときの回転センサの回転数の大きさと、制御装置７２が予め有したデータに基づき、洗濯物の重量を判断する。
【００３４】
次に、制御装置７２は、検出した重量に基づき、給水水位を決定し、回転槽４の回転を停止させた状態で給水を開始する。この給水において、制御装置７２は、排水弁１１を閉塞した状態で、第１の給水弁２７を開放する。これにより、給水源からの水は、第１の給水弁２７、第１の給水弁２７の吐出口２７ａ、注水ケース２３の第１の入水口３２を介して注水ケース２３内に供給される。第１の入水口３２から注水ケース２３内に供給された水は、洗いすすぎ兼用水路４３、具体的には、第１水路部５１から第２水路部５２に流れ（図３に示す矢印Ｃ１方向参照）、第２水路部５２から第３水路部５３に流れると共に（図３に示す矢印Ｃ２方向参照）、第２水路部５２から第４水路部５４に流れる（図３に示す矢印Ｃ３方向参照）。
【００３５】
第２水路部５２及び第３水路部５３に流入した水は、第１の孔部４１を通って注水ケース２３の下空間のうち引き出し部３６以外の空間に供給され（図５及び図６に示す矢印Ｃ４方向参照）、下空間を構成する側面壁と引き出し部３６との間を通って、第１の吐出口３４から下方に吐出される（図５及び図６に示す矢印Ｃ５方向参照）。この第１の吐出口３４から吐出された水は、第１の給水経路２４を通って回転槽４内に矢印Ｘ方向で供給される。このとき、注水ケース２３の下空間は、開口部３１の隙間によって大気に開放されているので、第１の給水経路２４から供給される水の圧力は、水道水の圧力よりも低下している。
【００３６】
これに対して、第２水路部５２から第４水路部５４に流入した水は、第４水路部５４内が水で満たされると、第２の吐出口３５から上方に吐出される（図４〜図６に示す矢印Ｃ６方向参照）。第２の吐出口３５から吐出された水は、第２の給水経路２５を通って（図６に示す矢印Ｃ７方向参照）、回転槽４内に供給される。ここで、第２の給水経路２５の出口に案内板２６が設けられているため、注水ケース２３の第２の吐出口３５から吐出され第２の給水経路２５から吐出された水は、案内板２６の傾斜部６７にあたり、傾斜部６７の側面に沿って矢印Ｙ１方向及び矢印Ｙ２方向で拡散部６８に流れ、拡散部６８から矢印Ｙ方向で回転槽４内に供給される。この第２の吐出口３５から吐出され第２の給水経路２５から吐出された水は、案内板２６により第１の吐出口３４から吐出された水とは異なる場所に供給される。これにより、回転槽４内に収容された洗濯物は、異なる複数の場所から湿らせられる。更に、傾斜部６７によって水の流れの横幅は広げられているので、拡散部６８から吐出された水は、回転槽４の広い範囲に供給される。
【００３７】
よって、回転槽４内に収容された洗濯物は、異なる複数の場所に供給される水によって早期に湿らせられる。特に、矢印Ｙ方向からの水は回転槽４内の広い範囲に供給されるので、洗濯物はより一層早期に湿らせられる。尚、第２の給水経路２５から供給される矢印Ｙ方向からの水の圧力は、注水ケース２３の下空間を通っていないので、水道から供給される高い圧力とほぼ同じである。
【００３８】
回転槽４に所定量の水が溜まると、制御装置７２は、モータ８によりパルセータ７を正逆回転させると共に、必要に応じて第１の給水弁２７を適宜開放させる。これにより、回転槽４内に収容された洗濯物の洗いが行われる。
【００３９】
第１の給水弁２７が閉塞状態になると、注水ケース２３内の洗いすすぎ兼用水路４３には、給水源からの水が供給されなくなる。この場合、第１水路部５１内に残った水は、底部の傾斜に沿って第２水路部５２に移動する（矢印Ｃ１方向参照）。又、第４水路部５４内に残った水は、底部の傾斜に沿って手前側に移動して（図５に示す矢印Ｒ方向参照）、第２水路部５２に移動する。第２水路部５２内の水は底部の傾斜に沿って後方に移動し、更に第２の水路部５２内の水の一部は第３水路部５３まで移動し（矢印Ｃ２方向参照）、第１の孔部４１を通って注水ケース２３の下空間に移動する（矢印Ｃ４方向参照）。注水ケース２３の下空間に移動した水は、底部の傾斜に沿って第１の吐出口３４に移動し（矢印Ｃ５方向参照）、この第１の吐出口３４から吐出される。従って、第１の給水弁２７を閉塞状態した場合、注水ケース２３内に水が残り難い。
【００４０】
制御装置７２は、洗い行程が終了すると、すすぎ行程を実行する。すすぎ行程では、排水、第１の脱水、シャワーすすぎ、第２の脱水、給水及びためすすぎが行われる。制御装置７２は、まず、パルセータ７の回転を停止させ、排水弁１１を開放させて、回転槽４内の水を導出管１０及び排水管１２から機外へ排水する。
【００４１】
次に、制御装置７２は、回転槽４を高速回転させて、回転槽４内にある洗濯物に浸み込んだ洗濯水を遠心力で脱水孔５から水槽３内に移動させ、水槽３内に移動した水を排水させる第１の脱水を実行する。
【００４２】
次に、制御装置７２は、排水弁１１を開放させた状態で回転槽４を低速度で回転させながら、第１の給水弁２７を開放させてシャワーすすぎを実行する。このとき、水道源からの水は、洗い行程時と同様に洗いすすぎ兼用水路４３を流れ、回転槽４内に矢印Ｘ方向と、矢印Ｙ方向とから供給される。これにより、すすぎに用いられるきれいな水を、洗濯物にかけることができる。
【００４３】
次に、制御装置７２は、排水弁１１を開放し且つ第１の給水弁２７を閉塞した状態で、回転槽４を高速回転させることで、第２の脱水を実行する。
次に、制御装置７２は、回転槽４の回転を停止させると共に排水弁１１を閉塞させ、第１の給水弁２７を開放させて給水を行う。このときも上述したように、回転槽４内には、矢印Ｘ方向及び矢印Ｙ方向から給水される。そして、制御装置７２は、パルセータ７を回転させ、所定時間後に第１の給水弁２７を閉塞させ、第２の給水弁２８を所定時間開放させ、ためすすぎを実行する。
【００４４】
ためすすぎの際に第２の給水弁２８が開放されると、給水源からの水は、給水装置２２の第２の給水弁２８、第２の給水弁２８の吐出口２８ａ、注水ケース２３の第２の入水口３３を通って注水ケース２３内に供給される。第２の入水口３３から注水ケース２３内に供給された水は、助剤供給用水路４４、具体的には、第５水路部５５から第６水路部５６に流れ（図３に示す矢印Ｄ１方向参照）、第６水路部５６から第７水路部５７に流れ（図３に示す矢印Ｄ２方向参照）、第７水路部５７から第８水路部５８に流れ（図３に示す矢印Ｄ３方向参照）、第８水路部５８から第９水路部５９に流れる（図３に示す矢印Ｄ４方向参照）。第９水路部５９に流れてきた水は、第２の孔部４２を介して注水ケース２３の下空間のうち引き出し部３６内に供給される（図５に示す矢印Ｄ５方向参照）。これにより、引き出し部３６内に予め収容されていた柔軟剤は、引き出し部３６内に供給された水と共に流れるようになる。引き出し部３６内に供給された水の水位がサイフォン部３８の孔部３８ｂの高さに達すると、引き出し部３６に供給された水（柔軟剤を含む水）は、サイフォンの原理によって筒状部３８ａの外周壁とキャップ部３８ｃの内周壁との間、孔部３８ｂ、筒状部３８ａの内周壁内、開口部３７を通り、更に第１の吐出口３４を通って下方に吐出される（図５に示す矢印Ｄ６方向、図５及び図６に示す矢印Ｄ７方向参照）。第１の吐出口３４から吐出された水は、上述と同様に、第１の給水経路２４を通って回転槽４内に矢印Ｘ方向から供給される。これにより、回転槽４内に柔軟剤が供給される。
【００４５】
ためすすぎにおいて、第２の給水弁２８が閉塞状態になると、注水ケース２３内の助剤供給用水路４４には、給水源からの水が供給されなくなる。この場合、助剤供給用水路４４の底部が第５水路部５５から第９水路部５９に向かうに従って低くなる傾斜をなしているので、助剤供給用水路４４に残っている水は、第５水路部５５から第９水路部５９に向かって移動し（矢印Ｄ１方向〜矢印Ｄ４方向参照）、第９水路部５９に移動した水は、第２の孔部４２を通って注水ケース２３の下空間の引き出し部３６内に集められ（矢印Ｄ５方向参照）、サイフォンの原理によってサイフォン部３８を通り、第１の吐出口３４から吐出される（矢印Ｄ６方向及び矢印Ｄ７方向参照）。従って、第２の給水弁２８を閉塞状態にした場合、注水ケース２３に水が残り難い。
【００４６】
制御装置７２は、すすぎ行程が終了すると、脱水行程を実行する。脱水行程では、排水及び脱水が行われる。制御装置７２は、パルセータ７の回転を停止させ、排水弁１１を開放させて排水を実行する。次に、制御装置７２は、排水弁１１を開放させた状態で回転槽４を高速回転させて脱水を実行する。
脱水行程が終了することにより、洗濯の運転コースは終了する。
【００４７】
本実施形態によれば、次のような効果を奏する。
上記構成によれば、回転槽４内への給水時において、給水源からの水は、給水装置２２の第１の給水弁２７を通って注水ケース２３の洗いすすぎ兼用水路４３内に供給される。洗いすすぎ兼用水路４３内に供給された水は、注水ケース２３の分岐壁４６によって分岐されて第１の吐出口３４及び第２の吐出口３５から吐出される。第１の吐出口３４から吐出された水は、第１の給水経路２４を通って矢印Ｘ方向から回転槽４内に供給され、第２の吐出口３５から吐出された水は、第２の給水経路２５を通って回転槽４内に供給される。ここで、第２の吐出口３５から吐出された水は、第２の給水経路２５の出口に設けられた案内板２６によって矢印Ｙ方向から回転槽４内に収容される。即ち、第２の吐出口３５から吐出され第２の給水経路２５から吐出される水は、案内板２６によって第１の吐出口３４から吐出される水とは異なる場所に供給される。これにより、回転槽４内に収容された洗濯物は、異なる複数の場所から湿らせられる。従って、回転槽４内への給水時に用いられる給水弁を１つ有する給水装置２２を用いて、回転槽４内に収容された洗濯物を早期に湿らせることができる。尚、第２の給水弁２８は、すすぎ（ためすすぎ）の時の洗濯用助剤を回転槽４内に供給する時のみに用いられる。
【００４８】
洗いすすぎ兼用水路４３の底部（横断壁３０）及び助剤供給用水路４４の底部（横断壁３０）は、下流に向かって低くなるように傾斜している。これにより、第１の給水弁２７及び第２の給水弁２８が閉塞状態になったときに、洗いすすぎ兼用水路４３及び助剤供給用水路４４内に残った水は、第１の孔部４１及び第２の孔部４２を通って、第１の吐出口３４から吐出される。よって、第１の給水弁２７及び第２の給水弁２８を閉塞状態にしたときに、注水ケース２３内に水が残ってしまうことを防止することができる。
【００４９】
第２の給水経路２５から吐出される水は、案内板２６の傾斜部６７で受けられので、第２の給水経路２５からの水を傾斜部６７の傾斜に沿って拡散部６８に流すことができる。又、傾斜部６７は、回転槽４の中心軸側に膨らみ、下端部に向かうに従って横幅が広くなる円錐状をなしているので、第２の給水経路２５からの水の流れの横幅を広くすることができる。
【００５０】
拡散部６８を設けたので、傾斜部６７から横幅が広くなって流れてきた水を、回転槽４の広い範囲に供給することができる。本実施形態では、拡散部６８を扇状にしたので、傾斜部６７から横幅が広くなって流れてきた水が拡散部６８の横幅方向の端部から落ちてしまうことを防ぎ、効率よく回転槽４内の広い範囲に水を供給することができる。
【００５１】
案内板２６を柔軟性を有する材料で形成したので、洗濯物の回転槽４内への出し入れの際に当該洗濯物が案内板２６に引っ掛かっても、洗濯物や案内板２６を破損し難くすることができる。
【００５２】
案内板２６を水槽カバー１７の下面に取付ける構成としたので、給水中に水槽カバー１７が水槽３と共に正規の位置から周方向へずれた場合、水槽カバー１７の第１の開口部１７ａ及び案内板２６も正規の位置から周方向へ同じようにずれる。これにより、水槽カバー１７が周方向へずれても、第１の給水経路２４と第２の給水経路２５との給水方向（矢印Ｘ方向、矢印Ｙ方向）の関係を維持することができる。
【００５３】
次に、本発明の第２の実施形態を図１０を参照して説明する。尚、上記第１の実施形態と同一部分には同一符号を付し、その詳細な説明は省略する。
第２の実施形態では、図１０に示すように、案内部材をなす案内板８１の形状が第１の実施形態の案内板２６の形状と異なる。図１０（ａ）では、回転槽４を上方から見て、第１の給水経路２４（図１参照）の出口の位置をＰ、第２の給水経路２５（図１参照）の出口の位置をＱで示している。
【００５４】
案内板８１は、取り付け部８２と、取り付け部８２に連なる傾斜部８３とから構成されている。取り付け部８２は、水槽カバー１７に平行に延び、水槽カバー１７の下面に取り付けられている。傾斜部８３は、第２の給水経路２５の出口の延長線上の位置に設けられ、長方形の板状をなし、取り付け部８２の端部のうち回転槽４の中心軸側の端部から回転槽４の中心軸側に向かうに従って直線で下降する傾斜をなしている。この案内板８１は、第１の実施形態に示す拡散部６８は設けられておらず、傾斜部８３が第１の実施形態の傾斜部６７及び拡散部６８の作用をする。
【００５５】
この構成によれば、給水時に、第１の吐出口３４（図６参照）から吐出され第１の給水経路２４から吐出される水は、矢印Ｘ方向から回転槽４内に供給され、第２の吐出口３５（図６参照）から吐出され第２の給水経路２５から吐出される水は、傾斜部８３によって受けられ、傾斜部８３の傾斜角度（図１０に示す矢印Ｚ方向）から回転槽４内に供給される。これにより、回転槽４内に収容された洗濯物は、矢印Ｘ方向から供給される水と、矢印Ｚ方向から供給される水によって異なる複数の場所から湿らせられる。従って、第２の実施形態においても、回転槽４内に収容された洗濯物を早期に湿らせることができる。
【００５６】
傾斜部８３の面が円弧状をなしていないので、第２の給水経路２５から吐出され傾斜部８３で受けられた水は、横方向に広がり難い状態で回転槽４内に供給される。よって、回転槽４内の所定の位置に重点的に水を供給することができる。
【００５７】
長方形の傾斜部８３が第１の実施形態の傾斜部６７及び拡散部６８の両方の作用をするので、案内板８１を単純な形状、即ち、板状で構成することができ、案内板８１の加工を容易にすることができる。
【００５８】
尚、本発明は上記し且つ図面に示す実施形態に限定されず、次のような変形、拡張が可能である。
第１の実施形態において、拡散部６８の傾斜角度αは、回転槽４の底部と平行であってもよい。
第１の実施形態において、傾斜部６７は円錐面状であるとして説明したが、多角錐面状でもよい。
第２の実施形態において、傾斜部８３の下端部に第１の実施形態のような拡散部を設けてもよい。
【００５９】
第１の実施形態及び第２の実施形態では、第２の給水経路２５の出口に案内板２６，８１を設けて説明したが、第２の経路２５の出口に案内板２６，８１を設けずに、第１の給水経路２４の出口に案内板２６，８１を設けてもよい。又、第１の給水経路２４の出口と第２の給水経路２５の出口の両方に案内板２６，８１を設けてもよい。この案内板を２つ設ける構成においては、案内板から洗濯物に供給される水の場所は異なっている。
【００６０】
案内板２６，８１は、水槽カバー１７の下面に回動可能に取り付け、案内板２６，８１から吐出する水の方向を任意に変更できるようにしてもよい。
案内板２６，８１は、ブロック状でもよい。
案内板２６，８１の傾斜部６７，８３及び拡散部６８の横幅方向の端部に、上方に突出する側面壁（ガイド）を設け、第２の給水経路２５から供給された水が傾斜部６７，８３及び拡散部６８の横幅方向の端部からこぼれるのを防ぐようにしてもよい。又、案内板２６，８１の傾斜部６７，８３及び拡散部６８に、下方に向かう溝部を設けて、水を流し易くしてもよい。
【００６１】
第１の実施形態に示すタイムチャートは、一例に過ぎず、適宜、パルセータ７の正逆回転方向及び回転の有無、回転槽４の回転の有無、第１の給水弁２７の開放と閉塞の有無、第２の給水弁２８の開放と閉塞の有無、排水弁１１の開放と閉塞の有無等を変更することができる。又、すすぎ行程では、シャワーすすぎ、注水すすぎ、ためすすぎを適宜組み合わせ、或いは省略することができる。
【００６２】
上述した第１の給水経路２４及び第２の給水経路２５は、一例に過ぎず、これらの給水経路２４，２５を、適宜、継手部材、ダクト部材等を組み合わせ、或いは省略して構成してよい。又、第１の吐出口３４が第１の給水経路２４を構成し、第２の吐出口３５が第２の給水経路２５を構成するようにしてもよい。
【００６３】
注水ケース２３の入口部２３ｃ、第１の給水経路２４、第２の給水経路２５、洗いすすぎ兼用水路４３及び助剤供給用水路４４の開口面積の大きさを予め変えておくことにより、矢印Ｘ方向から吐出される水の量（圧力）と矢印Ｙ方向から吐出される水の量（圧力）を変更することができる。
【００６４】
給水源は、風呂水でもよい。
洗濯用助剤として、洗い時に用いる洗剤、仕上げ剤等を用いてもよい。
その他、本発明の要旨を逸脱しない範囲内で適宜変更して実施し得る。
【符号の説明】
【００６５】
図面中、３は水槽、４は回転槽、５は脱水孔、１７は水槽カバー、２２は給水装置、２３は注水ケース、２６は案内板（案内部材）、２７は第１の給水弁、２８は第２の給水弁、２７ａは吐出口、２８ａは吐出口、３４は第１の吐出口、３５は第２の吐出口、３６は引き出し部（収容室）、４３は洗いすすぎ兼用水路（第１の水路）、４４は助剤供給用水路（第２の水路）、６７は傾斜部、６８は拡散部、８１は案内板（案内部材）、８３は傾斜部を示す。
【図１】
2011104150.tif 000003
【図２】
2011104150.tif 000004
【図３】
2011104150.tif 000005
【図４】
2011104150.tif 000006
【図５】
2011104150.tif 000007
【図６】
2011104150.tif 000008
【図７】
2011104150.tif 000009
【図８】
2011104150.tif 000010
【図９】
2011104150.tif 000011
【図１０】
2011104150.tif 000012